(57)【要約】【課題】本発明は、普段から浄水器として使用され、必要なメンテナンスが施されている浄水器を、災害等の非常時に、飲料水として利用できない水を人力にて飲料水（又は衛生水）にするための緊急用浄水化装置を提供する。【解決手段】本願浄水化装置１は、流し台３の蛇口５に通じる水道管６から分岐させた導管７の先端部を接続した流入部４と、該流入部４からの流入水を浄化して前記蛇口とは別の専用蛇口１３に先端部を接続した導管１２の基部を接続した浄水吐出部１１とを抜取り可能に設けた浄水器２を、流し台下に持ち出し可能に備えるとともに、該浄水器２に着脱可能に取付けた枠体１７を介して人力加圧ポンプ１８を搭載してなり、災害等の非常時に流し台下より浄水器２を持ち出し、該浄水器２とこれから降ろした人力加圧ポンプ１８とを接続するとともに、該ポンプを人力操作することで、河川の水などを飲み水に簡易にすることができるように構成した。【選択図】図２
2007083187.tif 000002
【特許請求の範囲】
【請求項１】
流し台の蛇口に通じる水道管から分岐させた導管の先端部を接続した流入部と、該流入部からの流入水を浄化して前記蛇口とは別の専用蛇口に先端部を接続した導管の基部を接続した浄水吐出部とを抜取り可能に設けた浄水器を、流し台下に持ち出し可能に備えるとともに、該浄水器に着脱可能に取付けた枠体を介して人力加圧ポンプを搭載してなり、前記浄水器の流入部及び浄水吐出部に、前記人力加圧ポンプの出力部から延出した導管、及び浄水貯留容器に連通させる導管をそれぞれ接続できるようにしたことを特徴とする緊急用浄水化装置。
【請求項２】
前記枠体が、前記ポンプを固定した台部とポンプに固定した庇部とからなり、庇部を天地を逆にして固定し直すと足踏み板に変身するようになっていることを特徴とする請求項１に記載の緊急用浄水化装置。
【請求項３】
前記流入部及び浄水吐出部が、外管と該外管より頭部を突出させた内管と該内管に装入した導管の周囲に摺接するＯリングとからなり、該内管は導管の装入時には先端側が拡開し、装入完了により先端側が収縮したときに導管の外周に食込む突子を設けたことを特徴とする請求項１又は２に記載の緊急用浄水化装置。
【発明の詳細な説明】
【技術分野】
【０００１】
本発明は、普段から浄水器として使用され、必要なメンテナンスが施されている浄水器を災害等の非常時に、通常では飲料水（又は衛生水）として到底利用できない水を人力を利用して飲料水にするための緊急用浄水化装置に関するものである。
【背景技術】
【０００２】
一般に、災害等の非常時に飲み水（又は衛生水）の確保は重要である。災害時には河川の水、プールの水、雨水は手近に大量にあっても、これを飲み水として即時には使用できない。すなわち、これらの水は塵埃や各種有機物やイオン類などの不純物を含んでいるからである。
【０００３】
従来、災害等の非常時にポンプを動かすための動力源となる電気もエンジンもない状態において、河川の水やプールの水などから不純物を除去して飲み水としようとする場合の浄水化装置として提案されている２つのものがあった。一つは河川の水などを手押しポンプ式に逆浸透膜フィルターを透過させて飲み水を作る装置（特開平１０−１２８３０８号公報）であり、２つは太陽電池を動力源として加圧ポンプを廻して汲み上げた河川の水などの水をフィルターにかけて飲み水とする浄水化装置（特開平１０−３４１４８号公報）である。
【特許文献１】特開平１０−１２８３０８号公報
【特許文献２】特開平１０−３４１４８号公報
【発明の開示】
【発明が解決しようとする課題】
【０００４】
しかしながら、上記従来型の浄水化装置のうち、前者（特開平１０−１２８３０８号公報）は、これに使用する「逆浸透膜フィルター」が、普段から浄水器として使用されているものと異なり、必要なメンテナンスが施されているものではなく、したがって、イザという時に機能する保証が得られないという問題があった。また、後者（特開平１０−３４１４８号公報）は、フィルターのメンテナンスの問題もあるが、そのほか、太陽電池を動力源とするため、大きな設備となることは否めず、災害等の非常時に浄水器とともに持ち出すことは不可能に近いものであった。
【０００５】
本発明は上記の問題を解消するためのもので、その目的とするところは、普段から浄水器として使用され、したがって、フィルター類のメンテナンスも手抜かりなく行われている浄水器を、人力加圧ポンプにて作動させることができるようにした緊急用浄水化装置を提供する点にある。
【課題を解決するための手段】
【０００６】
上記目的を達成するため、本発明に係る緊急用浄水化装置は、流し台の蛇口に通じる水道管から分岐させた導管の先端部を接続した流入部と、該流入部からの流入水を浄化して前記蛇口とは別の専用蛇口に先端部を接続した導管の基部を接続した浄水吐出部とを抜取り可能に設けた浄水器を、流し台下に持ち出し可能に備えるとともに、該浄水器に着脱可能に取付けた枠体を介して人力加圧ポンプを搭載してなり、前記浄水器の流入部及び浄水吐出部に、前記人力加圧ポンプの出力部から延出した導管、及び浄水貯留容器に連通させる導管をそれぞれ接続できるようにしたことを特徴とし、災害等の非常時に流し台下より浄水器を持ち出し、該浄水器とこれから降ろした人力加圧ポンプとを接続するとともに、該ポンプを人力操作することで、河川の水などを飲み水に簡易にすることができるように構成した。
【０００７】
また、請求項２に記載の発明に係る緊急用浄水化装置は、前記枠体が、前記ポンプを固定した台部とポンプに固定した庇部とからなり、庇部を天地を逆にして固定し直すと足踏み板に変身するようになっていることを特徴とし、ポンプ操作時にポンプを足裏にて地面にしっかり固定できるように構成した。
【０００８】
さらに、請求項３に記載の発明に係る緊急用浄水化装置は、前記流入部及び浄水吐出部が、外管と該外管より頭部を突出させた内管と該内管に装入した導管の周囲に摺接するＯリングとからなり、該内管は導管の装入時には先端側が拡開し、装入完了により先端側が収縮したときに導管の外周に食込む突子を設けたことを特徴とし、流入部及び浄水吐出部が導管を装入するだけで導管を簡単に接続固定し、内管の頭部を押し込みつつ導管を引き抜くと簡単に抜くことができるように構成した。
【発明の効果】
【０００９】
本発明によれば、流し台下に持ち出し可能に設置した浄水器は、普段、流し台の蛇口に通じる水道管から分岐した導管を接続させた流入部より取り入れた水道水を、浄化部にて排水を分離して浄水を作り、該浄水を専用蛇口から飲み水などとして使っているものであり、浄化部（逆浸透膜や各種フィルター）は常に手抜かりなくメンテナンスされているものである。したがって、いざ、災害等のために、水道が止まり、停電が生じたような非常時に遭遇した場合、当該浄水器を流し台下から持ち出し、予め、浄水器に搭載していた人力加圧ポンプを降ろし、該ポンプと浄水器とを接続して人力によるポンプ操作で、即座に、河川の水でもプールの水でもその他の水でも簡易に飲み水にすることができるという優れた効果を奏するものである。
【００１０】
また、請求項２に記載の発明によれば、前記ポンプを浄水器に着脱自在に搭載させた枠体を構成する庇部がポンプ操作に際して足踏み板になるように変身するから、その変身した庇部を足裏にて地面にしっかり固定して操作できるという優れた効果を奏するものである。
【００１１】
さらに、請求項３に記載の発明によれば、浄水器の持ち出しに際し、浄水器の流入部及び浄水吐出部に接続していた水道管から分岐させた導管や、浄水タンクに接続している導管を簡単な手動操作により容易に抜き取ることができる一方、人力加圧ポンプの人力によるポンプ操作に先立ち、該ポンプの出力部から延出させた導管や、浄水貯留容器に連通させるための導管を、即座に手際よく、気密液密に接続させることできるという優れた効果を奏するものである。
【発明を実施するための最良の形態】
【００１２】
次に、本発明を実施するための最良の形態を図面に基づいて説明する。図１は本願浄水化装置の普段の使用状態を示す斜視図、図２は本願浄水化装置の裏面側から見た平常時の斜視図、図３は災害等の緊急時の使用状態を示す斜視図、図４は導管接続部断面図で、ａは接続前、ｂは接続時、ｃは離脱操作時である。
【００１３】
図において、１は本願浄水化装置、２は浄水器である。浄水器２はこれを収納した扁平角形の外筐体のみを示し、外筐体内の浄水機構（不純物のろ過等）は省略した。該浄水器２は、平時には流し台３の下（他の厨房機器の下の空間も含む）に持ち出し可能に設置されている。前記浄水器２の天頂面の両サイドには、浄水器２を流し台３の下から持ち出すための把手３２、３２が設けられている。
【００１４】
前記浄水器２には、前記流し台３に備えた常用の蛇口５に通じる水道管６から分岐した導管７を接続した流入部４が設けられている。該流入部４から流入した水道水は、浄化部（図示せず）を経て排水分から浄水分が分離する。この分離された浄水分はタンク吐出部８から導管９を経て浄水タンク１０にいったん貯留されるようになっている。
【００１５】
前記浄化部には逆浸透膜を含む各種フィルターが用いられているときは、水道水の元来もっている圧（２〜３キロ）だけでは通過させることができないため、電動加圧ポンプを設備して水道水の圧を５キロ以上に高めることが必要となる。なお、本例の浄水器２は、電動加圧ポンプとその電磁弁を備え、その作動のため、図１の如く、電源コンセントに導線を介して接続している。
【００１６】
前記浄水タンク１０にいったん貯留された浄水は、該浄水タンク１０に備えたセンサー（図示せず）又はタンク内の空気圧の作用により前記タンク吐出部８から逆に浄水器２内に戻され、該浄水器２の浄水吐出部１１から導管１２を経て前記流し台３に設けた専用蛇口（常用の蛇口５とは別）１３から流出させるようになっている。一方、浄化部において浄水分から分離された排水分は、浄水器２の排水吐出部１４から導管１５を通して前記流し台３の排水管１６へ流下させるようになっている。
【００１７】
前記浄水器２には、図２の如く、着脱可能に取付けた枠体１７を介して人力加圧ポンプ１８が搭載されている。該枠体１７は、台部１７ａと庇部１７ｂとからなる。台部１７ａは両翼を接地させ中央を門形に屈曲してなり、その門形部の上面にポンプを載置し、門形部の下面からボルトなどの締付け具（図示せず）をポンプ下面の穴に差込んで固定している。
【００１８】
前記枠体１７の庇部１７ｂはポンプ上面を覆う天板とその一縁から垂下したフラップ板とからなり、フラップ板は蝶ネジ１９、１９でポンプ背面の穴に差込み固定している。この庇部１７ｂの天板両端部には浄水器２の背面に固定したフック２１、２１に懸架するための透孔２０、２０が設けられている。該透孔２０、２０は前記ポンプ１８を枠体１７とともに浄水器２から降ろすときの把手となる。
【００１９】
前記枠体１７の庇部１７ｂは、前記人力加圧ポンプ１８を浄水器２から降ろし、蝶ネジ１９、１９を外した後、天地を逆にして天板が接地するようにフラップ板をポンプ背面の穴に固定し直すと、天板がそのまま足踏み板に変身するようになる。これは後記する如く人力加圧ポンプ１８のハンドル操作時に、足裏により地面にしっかり固定できるようにしている（図３参照）。
【００２０】
前記人力加圧ポンプ１８は、図３の如く、正面側にポンプ作動するための駆動軸２２が突出している。該駆動軸２２には直交状に突子２３が植設され、ハンドル２４が差込み結合できるようになっている。該ハンドル２４は駆動軸２２を梃子の原理により軽い力で作動できるためのもので、人力加圧ポンプ１８を浄水器２に着脱自在に搭載した枠体１７の庇部１７ｂの天板にあけた透孔２５に差込み保持させている（図２参照）。
【００２１】
前記人力加圧ポンプ１８は、台部１７ａの門形部の下の空間から吸水口２６を突出させている。該吸水口２６の先端には吸水管２７の基部が接続されている。該吸水管２７は必要な長さ（特に限定されないが３〜５ｍ程度あればよい）を有し、不使用時には、図２の如く、輪状に巻いて縛り、浄水器２又は枠体１７の適所に設けたフック２８に係留させておくとよい。この吸水管２７の先端には吸水時に比較的大きな不純物を除くためのろ過具２７′が備えられている。
【００２２】
前記人力加圧ポンプ１８は、その頂部に出力部２９が設けられている。該出力部２９は図２及び図３の如く、圧力メータ３０を備え、該ポンプを通した流体（水）の圧力が常にチェックできるようにしている。該出力部２９には基端が接続された導管３１の先端が浄水器２の流入部４に接続される。この導管３１の先端の外径は、前記流し台３の蛇口５に通じる水道管６から分岐した導管７の先端の外径と共通していることは勿論である。
【００２３】
前記浄水器２を災害等の非常時に、浄水器２を流し台３の下からの持ち出すに際し、浄水器２の流入部４に接続していた水道管６から分岐させた導管７を抜き、前記タンク吐出部８に接続していた浄水タンク１０に通じる導管９を抜き、さらに浄水吐出部１１から専用蛇口１３に接続している導管１２、及び、排水吐出部１４に接続していた排水管１６に通じていた導管１５をそれぞれ抜くことが必要である。
【００２４】
前記浄水器２の天頂面の両サイドに設けた把手３２、３２は、災害時に、たとえば、浄水器２の上に物が倒れかかったようなときに、前記流入部４、タンク吐出部８、浄水吐出部１１及び排水吐出部１４をガードする機能も備えさせるため、少し大きめに立ち上げている。
【００２５】
前記流し台下から外に持ち出した浄水器２と、該浄水器２から降ろした人力加圧ポンプ１８との接続は、ポンプ１８の出力部２９から延びた導管３１を浄水器２の流入部４に接続し、これと前後して、汲み置きの未浄化水Ｗが入った容器３３内にポンプ１８の吸水口２６から延びた吸入管２７の先端ろ過具２７′を沈める（直に河川やプールの水に沈めることもある）。
【００２６】
前記浄水器２は緊急用として使用するときは、前記浄水タンク１０は使わないため、タンク吐出部８は棒状物３４を装入することにより閉塞する。これにより浄化部にて作られた浄水分は浄水吐出部１１に導管３６の基部を接続して浄水貯留容器３５に連通させる。また、前記排水吐出部１４に導管３７の基部を接続し、先端を前記容器３３に臨ませ、排水分を還流させるようにするとよい。前記浄水貯留容器３５は図２の一点鎖線で示すように前記枠体１７の空きスペースに収納しておくとより便利である。
【００２７】
なお、図示していないが、浄水吐出部１１と浄水貯留容器３５とを連通させるための導管３６、及び排水吐出部１４と容器３３とを連通させるための導管３７も丸めて浄水器２又はポンプを搭載した枠体１７の適所に吊り下げておくと便利である。
【００２８】
前記浄水器２の流入部４、タンク吐出部８、浄水吐出部１１及び排水吐出部１４は、図４の如く構成させている。すなわち、外管３８と該外管３８に頭部を外出させた状態で装填した内管３９と、該内管３９に装入した導管７（他の導管も総て共通サイズとする）の外周に摺接させるＯリング４０とからなり、内管３９は図４（ａ）の如く奥端側に割り溝４１を有し、図４（ｂ）の如く導管７の先端を装入した時は、素材の弾性により拡開するようになっている。
【００２９】
前記導管７の先端が前記外管３８の奥側段部４２に当接し、装入が完了すると、内管３９の奥端側が素材の弾性により収縮し、その内面に設けた突子４３が導管７の外面に食込み、導管７は抜こうとしても抜けなくなる。この装入された導管７の外周はＯリング４０により気密液密に封止されている。一方、導管７を抜くときは、前記内管３９の頭部を、図４（ｃ）の如く、手指の先で矢印の如く押すと、前記突子４３の食込み点がズレてフリーになり、軽く引き抜くことができる。
【００３０】
なお、前記浄水器２の流入部４には、図２の如く、Ｔ型の接続具４′を用いて、流し台３に備えた常用の蛇口５に通じる水道管６から分岐した導管７と、浄水器２に枠体１７にて搭載させたポンプ１８の出力部２９から延びた導管３１とを当初から接続しておくこともある。
【００３１】
また、浄水器２の流入部４から流入される水が、逆浸透膜を含む各種フィルターを用いた浄化部にて処理するようになっているときは、通常、電動加圧ポンプの電磁弁は停電により作動できない状態になっていることから、浄水器２の流入部４から前記人力加圧ポンプ１８の操作で水を流入させるときは、浄水器２の上面に備えた開栓装置４４の操作で電動加圧ポンプと電磁弁を迂回（バイパス）させることができるようになっている。
【００３２】
次に、本願浄水化装置１の作用を説明する。本願浄水化装置１は浄水器２とこれに枠体１７を介して搭載した人力加圧ポンプ１８とからなり、該本願浄水化装置１は平時には流し台３下に持ち出し可能に設置されている。しかして、浄水器２の流入部４には水道管６から分岐させた導管７を接続し、タンク吐出部８に接続させた導管９を浄水タンク１０に繋ぎ、浄水吐出部１１を導管１２を介して専用蛇口１３に接続し、排水吐出部１４を導管１５を介して排水管１６に連通する。
【００３３】
したがって、普段、流し台３で洗い物をするときは水道管６に通じる蛇口５を開いて水道管６からの水を使用する。一方、美味しい飲み水（又は衛生水）を使うときは、専用の蛇口１３を開放する。これにより水道管６から分岐した導管７を介して浄水器２の流入部４から取り入れられ、浄化部にて排水分から分離された浄水分をタンク吐出部８から導管９を経て浄水タンク１０にいったん貯留し、該浄水タンク１０に備えたセンサー（図示せず）又は空気圧の作用により前記タンク吐出部８から逆に浄水器２内に戻され、浄水吐出部１１から導管１２を経て前記流し台３に設けた専用蛇口１３から流出することとなるようになっている。
【００３４】
この専用蛇口１３からの美味しい飲み水（又は衛生水）を常に確保するためには、浄水器２の浄化部（逆浸透膜や各種フィルター）は定期的に交換されるなど、浄化機能が充分に発揮できるように手抜かりなくメンテナンスを怠ることはない。
【００３５】
しかして、いざ、災害等のために、水道が止まり、停電が生じたような非常事態に遭遇した場合、当該浄水器２を流し台３下から外に持ち出す。この場合において、浄水器２の流入部４、タンク吐出部８、浄水吐出部１１及び排水吐出部１４に接続されている各導管７、９、１２及び１５を引き抜く。
【００３６】
次に、外に持ち出した浄水器２に枠体１７を介して搭載していた人力加圧ポンプ１８を枠体１７ごと降ろす。次に、枠体１７の庇部１７ｂをポンプ１８から蝶ネジ１９、１９を外して天地を逆にして天板が接地するようにフラップ板をポンプ背面に固定し直して天板が足踏み板になるようにする。
【００３７】
次いで、ポンプ１８の出力部２９から延びた導管３１を浄水器２の流入部４に接続し、ポンプ１８の吸水口２６から延びた吸入管２７の先端のろ過具２７′を容器３３内の未浄化水Ｗに沈める。吸入管２７の先端のろ過具２７′は近くにある河川やプールに沈めてもよい。
【００３８】
なお、緊急の場合には浄水タンク１０は使用しないため、前記タンク吐出部８には棒状物３４を装入して塞ぎ、浄水吐出部１１から導管３６を介して浄水貯留容器３５に直に浄水が流入するようにする。次いで、排水吐出部１４を導管３７を介して前記容器３３に戻せるようにする。
【００３９】
次に、ポンプ１８の駆動軸２２の突子２３にハンドル２４の端部を差込み結合し、前述のように天地を逆にした庇部１７ｂの天板（足踏み板）に足裏を載せてからハンドル２４を操作する。これにより人力加圧ポンプ１８が汲み上げた水は浄水器２にて浄化されて浄水貯留容器３５に溜められる。
【００４０】
この人力加圧ポンプ１８のハンドル操作により得られる浄水（飲み水乃至衛生水）は、７００ｍｌ／分作れるため、１時間で４２リットルとなり、一人当たり１日３リットル飲むとして、１時間作動するだけで１日に必要な水の１４人分が簡単に確保できる。
【産業上の利用可能性】
【００４１】
本願浄水化装置１は、普段から浄水器として使用され、必要なメンテナンスが施されている浄水器を災害等の非常時に、通常では飲料水（又は衛生水）として到底利用できない水を人力を利用して飲料水にすることができる利用可能性の極めて大きいものである。
【図面の簡単な説明】
【００４２】
【図１】本願浄水化装置の普段の設置状態を示す斜視図である。
【図２】本願浄水化装置の裏面側から見た平常時の斜視図である。
【図３】災害等の緊急時の使用状態を示す斜視図である。
【図４】導管接続部断面図で、ａは接続前、ｂは接続時、ｃは離脱操作時である。
【符号の説明】
【００４３】
１  本願浄水化装置
２  浄水器
３  流し台
４  流入部
４′  Ｔ型の接続具４′
５  常用の蛇口
６  水道管
７  導管
８  タンク吐出部
９  導管
１０  浄水タンク
１１  浄水吐出部
１２  導管
１３  専用蛇口
１４  排水吐出部
１５  導管
１６  排水管
１７  枠体
１７ａ  台部
１７ｂ  庇部
１８  人力加圧ポンプ
１９  蝶ネジ
２０  透孔
２１  フック
２２  駆動軸
２３  突子
２４  ハンドル
２５  透孔
２６  吸水口
２７  吸水管
２７′  ろ過具
２８  フック
２９  出力部
３０  圧力メータ
３１  導管
３２  把手
３３  容器
３４  棒状物
３５  浄水貯留容器
３６  導管
３７  導管
３８  外管
３９  内管
４０  Ｏリング
４１  割り溝
４２  奥側段部
４３  突子
４４  開栓装置
Ｗ  未浄化水
【図１】
2007083187.tif 000003
【図２】
2007083187.tif 000004
【図３】
2007083187.tif 000005
【図４】
2007083187.tif 000006